(57)【要約】      （修正有）【課題】外観に変化を持たせることのできる、デザイン性及び実用性を備えた収納用具を提供する。【解決手段】収納用具１０は、収納部１１の表面部１２に複数個所に設けられた係合部１３と、上記係合部１３に着脱可能に係止しうる係止部を有する装飾体部１４とを備えている。また、上記係合部１３は孔部であると共に、上記係止部は上記孔部に係合するボタンである。また、上記孔部は、ボタンホール１３ａ等である。【選択図】図３
0003179550.tif 000002
【実用新案登録請求の範囲】
【請求項１】
収納部の表面部に複数個所に設けられた係合部と、上記係合部に着脱可能に係止しうる係止部を有する装飾体部とを備えたことを特徴とする収納用具。
【請求項２】
上記係合部は孔部であると共に、上記係止部は上記孔部に係合するボタンであることを特徴とする請求項１記載の収納用具。
【請求項３】
上記孔部は、ボタンホールであることを特徴とする請求項１記載の収納用具。
【請求項４】
上記収納用具はバッグであることを特徴とする請求項１記載の収納用具。
【考案の詳細な説明】
【技術分野】
【０００１】
本考案は、着脱可能な装飾体を係止することができる、デザイン性と実用性を兼ね備えた収納用具に関する。
【背景技術】
【０００２】
一般に、保育園や幼稚園、小学校等に通う年代の児童は、教科書や体操服、シューズ等を入れるための手提げかばん等を使用している場合が多い。従来品の手提げかばん等は、単一色若しくは複数色を組み合わせた無地の生地であったり、幾何学模様が描かれた生地であったり、テレビや漫画に出てくるキャラクター等が印刷された生地から作られていることが大半である。
【０００３】
しかしながら、デザイン性という観点から従来品の収納用具を鑑みると、例えば、使用者が持ち手部分にキーホールダーを着けたりするなど、付加的に装飾体を施さない限り、収納用具外観のデザインは変化することがなく、外観品質に乏しい、という不具合があった。
【考案の開示】
【考案が解決しようとする課題】
【０００４】
本考案はこのような従来からの不具合を解決するためのものであって、使用者が日常的に使う中で、自分の望むときに自由に外観に変化を持たせることができる、デザイン性及び実用性を備えた収納用具を提供することにある。
【課題を解決するための手段】
【０００５】
上記課題達成のため、請求項１記載の考案にあっては、収納部の表面部に複数個所に設けられた係合部を備えた収納用具であって、上記係合部に着脱可能に係止しうる係止部を有する装飾体部とを備えたことを特徴とする。
従って、請求項１記載の考案にあっては、収納部の表面部に設けられた係合部に、係止部を有する装飾体部を着脱可能に係止させることができる。
【０００６】
請求項２記載の考案にあっては、上記係合部は孔部であると共に、上記係止部は上記孔部に係合するボタンであることを特徴とする。
従って、請求項２記載の考案にあっては、係合部は孔部であるため、孔部の大きさに適した大きさを有する係止部であるボタンを、係合させることができる。
【０００７】
請求項３記載の考案にあっては、上記孔部は、ボタンホールであることを特徴とする。
【０００８】
請求項４記載の考案にあっては、上記収納用具はバッグであることを特徴とする。
【考案の効果】
【０００９】
請求項１記載の考案にあっては、収納部の表面部に複数個所に設けられた係合部を備えた収納用具であって、上記係合部に着脱可能に係止しうる係止部を有する装飾体部とを備えていることから、装飾体部を着脱可能に上記収納用具に係止することができる。その結果、請求項１記載の考案にあっては、収納用具の使用者は自身の望む時に、自由に装飾体の取付け位置を変えること、及び装飾体部を他の装飾体部に取り替えることが可能となり、収納用具の外観にデザイン性の変化を持たせることが可能となる、という効果を奏する。
【００１０】
請求項２記載の考案にあっては、上記係合部は孔部であると共に、上記係止部は上記孔部に係合するボタンであることから、請求項１記載の考案の効果に加えて、上記収納用具に係止する際の着脱を簡便に行うことができる。
【００１１】
請求項３記載の考案にあっては、上記孔部は、ボタンホールであることから、ボタンを簡便に係止することができる。また、収納部表面部にボタンホールをどうのように配置するかであったり、ボタンホールのかがり部分の色を変えたりするなどして、ボタンホールの配置と配色の組み合わせに起因してデザイン性を高めることができる。
【００１２】
請求項４記載の考案にあっては、上記収納用具はバッグであることから、日常的に身近に使用する物品であるため、頻繁にデザインの変化を楽しむことができる。
【図面の簡単な説明】
【００１３】
【図１】本考案に係る収納用具の一実施の形態を表す平面図であって、装飾体部を着脱可能に係止しうる係合部を収納部表面部に備える収納用具の状態を示した図である。
【図２】本考案に係る収納用具の一実施の形態を表す平面図であって、装飾体部の背面に備わる係止部の状態を表した図である。
【図３】本考案に係る収納用具の一実施の形態を表す平面図であって、収納部表面部の係合部に装飾体部を係止している収納用具の状態を示した図である。
【図４】本考案に係る収納用具の一実施の形態を表す平面図であって、装飾体部を着脱可能に係止しうる係合部を収納部表面部に備える収納用具の状態を示した図である。
【考案を実施するための最良の形態】
【００１４】
以下、添付図面に示す実施の形態に基づき、本考案を詳細に説明する。
図１に示すように、上記収納用具１０は手提げかばん１８であって、側面長方形状である収納部１１と、収納部１１の内側上端に取付けられた略コ字形状の持ち手１７と、収納部１１の表面部１２に設けられた４箇所の係合部１３によって構成されている。なお、本実施の形態にあっては、係合部１３はボタンホール１３ａにより形成されている。
【００１５】
図２に示すように、ロボット様に形成された上記装飾体部１４の背面１５には、係止部１６である丸型のボタン１６ａが設けられている。
【００１６】
図３は、ロボット様に形成された上記装飾体部１４が、手提げかばん１８である収納用具１０の表面部１２に、手提げかばん１８に設けられた係合部１３と装飾体部１４の背面１５設けられた係止部１６を利用して係止されている状態を示す。
【００１７】
以下、本実施の形態に係る収納用具の作用について説明する。
収納用具１０である手提げかばん１０には、収納部１２の表面部１１に係合部１３を備えており、また装飾体部１４には係止部１６が備わっているため、装飾体部１４を手提げかばん１０に係止させることができる。
また、係合部１３はボタンホール１３であり、係止部１６はボタン１６ａであることから、装飾体部１４を簡便かつ着脱可能に手提げかばん１８に係止させる事ができる。
また、外観の変化に乏しい収納用具１０の既製品を使用している満足度が低い使用者にとって、本考案は、外観の変化を自由に楽しむことを可能にするという付加価値を提供する。
【００１８】
図４は、本考案に係る収納用具１０の他の実施の形態を示す。上記収納用具１０は手提げかばん１８であって、側面長方形状である収納部１１と、収納部１１の表面部１２に設けられた４箇所の係合部１３と、略コ字形状の持ち手１７によって構成されている。
本実施の形態にあっては、係合部１３は、収納部１１の長さ方向に沿って設けられたボタンホール１３ａと、幅方向に沿って設けられたボタンホール１３ｂと、斜めに設けられたボタンホール１３ｃと、ループ状の帯材１３ｄとにより構成されている。
また、本考案に係る実施の形態は、図１〜４に示される状態に限らない。
【００１９】
図１〜４に示すように、上記各実施の形態にあっては、収納用具１０は手提げかばん１８に限定されず、装飾体部１４はロボット様の装飾体部１４に限らない。
また、係合部１３が設けられている場所は、図１、図３及び図４において図示されている収納用具１０の片面に限らず、図に表わされていない反対面及び収納用具１０が手提げかばん１８等である場合のかばんマチ部（図示せず）において設けられていてもよく、装飾体部１４を収納用具１０に設けられた係合部１３に自由に係止することができる。
また、係合部１３であるボタンホール１３ａが装飾体部１４の背面に設けられ、係止部１６であるボタン１６ａが収納部１１の表面部１２に設けられていてもよい。
【００２０】
図１，３，４に示すように、上記実施の形態にあっては、ボタンホール１３の配置は、収納部１１の上半分に配置されているが、各図に示される状態に限らない。例えば、ボタンホール１３の配置は、収納部１１の表面部に均等に並置されていたり、何かしらの形状を象った配置となっていてもよく、ボタンホールの配置による視覚的なデザイン効果も生じる。
【産業上の利用可能性】
【００２１】
本考案は、使用者が日常的に使う中で、自分の望むときに自由に外観に変化を持たせることのできる、デザイン性及び実用性を備えた収納用具に適用することができるため、産業上の利用可能性を有している。
【符号の説明】
【００２２】
１０ 収納用具
１１ 収納部
１２ 表面部
１３ 係合部
１３ａ ボタンホール
１３ｂ ボタンホール
１３ｃ ボタンホール
１３ｄ ループ状の帯材
１４ 装飾体部
１５ 装飾体部背面
１６ 係止部
１６ａ ボタン
１７ 持ち手 
１８ 手提げかばん
【図１】
0003179550.tif 000003
【図２】
0003179550.tif 000004
【図３】
0003179550.tif 000005
【図４】
0003179550.tif 000006
【手続補正書】
【提出日】平成24年8月30日(2012.8.30)
【手続補正１】
【補正対象書類名】実用新案登録請求の範囲
【補正対象項目名】請求項３
【補正方法】変更
【補正の内容】
【請求項３】
上記孔部は、ボタンホールであることを特徴とする請求項２記載の収納用具。